(57)【要約】【課題】導線の縫製方法を提供する。【解決手段】かかる導線の縫製方法は、金属線を保護層内に設けて導線を形成することと共に、導線の作成、布切れの配置、縫製の実行、装置の結合及び導線の連通などのステップを経ることにより、前記導線を縫代箇所に位置することができるので、後続加工で装置を結合することが容易となり、一次加工及び導線隠蔽の効果を有するものである。【選択図】図１
2017214689.tif 000002
【特許請求の範囲】
【請求項１】
導線の縫製方法であって、
前記方法に含まれるステップは、
金属線を保護層内に設けて導線を形成する導線の作成ステップと、
前記導線を重ね合わせた後の２つの布切れの縫代の上に置く布切れの配置ステップと、
前記導線を縫製後の縫線内に位置させるように、重ね合わせた後の２つの布切れの縫代に縫製を行う縫製の実行ステップと、
縫製後の縫線上に装置を結合する装置の結合ステップと、
かつ前記装置を縫線内の前記導線と連通するように形成し、前記装置は前記導線を介して伝達を行う導線の連通ステップとを含むことを特徴とする、導線の縫製方法。
【請求項２】
前記保護層は、さらにポリ塩化ビニルなどの材質から作成される絶縁層、または棉、絹、麻、動物毛或いは人造繊維から編成される原糸などのうちのいずれか１種であることを特徴とする、請求項１に記載の導線の縫製方法。
【請求項３】
前記装置の結合ステップにおける前記装置をさらに電極片に設定し、前記装置が電極片である場合、次の圧着溶接ステップを行う、
前記電極片と縫線内に位置する前記導線とを超音波方式で圧着することにより、前記電極片を前記導線と溶接させる圧着溶接ステップことを特徴とする、請求項１に記載の導線の縫製方法。
【請求項４】
前記装置の結合ステップにおける前記装置をさらに電極片に設定し、前記装置が電極片である場合、下記の加熱溶融露出ステップと接合連接ステップを行う、
前記金属線を露出するために、縫線内に位置する前記導線のうちの一段に加熱溶融を行う加熱溶融露出ステップ、
前記電極片を前記導線の金属線の露出位置に貼合または縫合して前記電極片を前記導線と連接させる接合連接ステップことを特徴とする、請求項１に記載の導線の縫製方法。
【請求項５】
前記装置の結合ステップにおける前記装置をさらに導電材に設定して、前記導電材は金属不織布、導電性ゴム、導電性シリコーン、導電性薄膜などのうちのいずれか１種であり、かつ前記装置が導電材である場合、次の圧着溶接ステップを行う、
前記導電材と縫線内に位置する前記導線とを超音波方式で圧着することにより、前記導電材を前記導線と溶接させる圧着溶接ステップことを特徴とする、請求項１に記載の導線の縫製方法。
【請求項６】
前記装置の結合ステップにおける前記装置をさらに導電材に設定して、前記導電材は金属不織布、導電性ゴム、導電性シリコーン、導電性薄膜などのうちのいずれか１種であり、かつ前記装置が導電材である場合、下記の加熱溶融露出ステップと接合連接ステップを行う、
前記金属線を露出するために、縫線内に位置する前記導線のうちの一段に加熱溶融を行う加熱溶融露出ステップ、
前記導電材を前記導線の金属線の露出位置に貼合または縫合して前記導電材を前記導線と連接させる接合連接ステップことを特徴とする、請求項１に記載の導線の縫製方法。
【請求項７】
前記導電材の上にさらに連接部が設けられて、前記連接部は雄雌スナップであり、かつ前記連接部にさらに吸盤電極が連接され、前記吸盤電極は底部を有して、前記底部の辺縁から壁体が延設され、また前記壁体の上端箇所が貼合面に形成されることを特徴とする、請求項５または請求項６に記載の導線の縫製方法。
【請求項８】
導線の縫製方法であって、
前記方法に含まれるステップは、
金属線を保護層内に設けて導線を形成する導線の作成ステップと、
重ね合わせた後の２つの布切れの縫代を露出する布切れの配置ステップと、
重ね合わせた後の２つの布切れの縫代に導線で縫製を行う縫製の実行ステップと、
縫製後の前記導線上に装置を結合する装置の結合ステップと、
かつ前記装置を縫製後の前記導線と連通するように形成し、前記装置は前記導線を介して伝達を行う導線の連通ステップとを含むことを特徴とする、導線の縫製方法。
【請求項９】
前記保護層は、さらにポリ塩化ビニルなどの材質から作成される絶縁層、または棉、絹、麻、動物毛或いは人造繊維から編成される原糸などのうちのいずれか１種であることを特徴とする、請求項８に記載の導線の縫製方法。
【請求項１０】
前記装置の結合ステップにおける前記装置をさらに電極片に設定し、前記装置が電極片である場合、次の圧着溶接ステップを行う、
前記電極片と縫製後の前記導線とを超音波方式で圧着することにより、前記電極片を前記導線と溶接させる圧着溶接ステップことを特徴とする、請求項８に記載の導線の縫製方法。
【請求項１１】
前記装置の結合ステップにおける前記装置をさらに電極片に設定し、前記装置が電極片である場合、下記の加熱溶融露出ステップと接合連接ステップを行う、
前記金属線を露出するために、縫製後の前記導線のうちの一段に加熱溶融を行う加熱溶融露出ステップ、
前記電極片を前記導線の金属線の露出位置に貼合または縫合して前記電極片を前記導線と連接させる接合連接ステップことを特徴とする、請求項８に記載の導線の縫製方法。
【請求項１２】
前記装置の結合ステップにおける前記装置をさらに導電材に設定して、前記導電材は金属不織布、導電性ゴム、導電性シリコーン、導電性薄膜などのうちのいずれか１種であり、かつ前記装置が導電材である場合、次の圧着溶接ステップを行う、
前記導電材と縫製後の前記導線とを超音波方式で圧着することにより、前記導電材を前記導線と溶接させる圧着溶接ステップことを特徴とする、請求項８に記載の導線の縫製方法。
【請求項１３】
前記装置の結合ステップにおける前記装置をさらに導電材に設定して、前記導電材は金属不織布、導電性ゴム、導電性シリコーン、導電性薄膜などのうちのいずれか１種であり、かつ前記装置が導電材である場合、下記の加熱溶融露出ステップと接合連接ステップステップを行う、
前記金属線を露出するために、縫製後の前記導線のうちの一段に加熱溶融を行う加熱溶融露出ステップ、
前記導電材を前記導線の金属線の露出位置に貼合または縫合して前記導電材を前記導線と連接させる接合連接ステップことを特徴とする、請求項８に記載の導線の縫製方法。
【請求項１４】
前記導電材の上にさらに連接部が設けられて、前記連接部は雄雌スナップであり、かつ前記連接部にさらに吸盤電極が連接され、前記吸盤電極は底部を有して、前記底部の辺縁から壁体が延設され、また前記壁体の上端箇所が貼合面に形成されることを特徴とする、請求項１２または請求項１３に記載の導線の縫製方法。
【発明の詳細な説明】
【技術分野】
【０００１】
本発明は、導線の縫製方法に係り、特に、導線の作成、布切れの配置、縫製の実行、装置の結合及び導線の連通などのステップを含み、前記導線を縫代箇所に位置することができるので、後続加工で装置を結合することが容易となり、様々な衣服、ジャケットなどの如何なる衣類上に適用されるものに関する。
【背景技術】
【０００２】
近年、スマート衣服が益々盛んになっているが、各大手メーカーのいわゆるスマート衣服というのは、生理信号を検知する機能を有する電子装置を衣服内に設けるものであり、装着時に生理信号の検知を容易に実行でき、かつ前記電子装置に検知された生理信号に基づいてデータ伝達及び電力伝達を容易に行うために、前記スマート衣服の内面に導電線を設ける必要がある。
【０００３】
しかしながら、早期、スマート衣服の内面の導電線は、いずれも薄膜粘着方式を採用して衣服の表層上に粘着するか、または折り返しバンド方式で衣服内に結合することで、前記導電線は、皮膚に対して突起状のようなものと思われ、なおかつ皮膚上に圧迫して圧痕を残してしまい、皮膚に対して不快感を生じさせる。
【０００４】
また、薄膜粘着方式または折り返しバンド方式のいずれも別途の加工方式を必要とし、縫い時に一回限り方式で前記導線をスマート衣服内に結合することができない。
【０００５】
そこで、本発明者は、上記の欠点を鑑みて、一回限りの縫い方式を有し、及び導線隠蔽可能な導線の縫製方法を提案することが望まれているため、専念な研究や設計組立により、消費大衆の使用に提供することは、本発明を創作しようとする動機付けになる。
【発明の概要】
【発明が解決しようとする課題】
【０００６】
本発明の主要な目的は、金属線を保護層内に設けて導線を形成することと共に、導線の作成、布切れの配置、縫製の実行、装置の結合及び導線の連通などのステップを経ることにより、前記導線を縫代箇所に位置することができるので、後続加工で装置を結合することが容易となり、一次加工及び導線隠蔽の効果を有するため、全体の実用性を増進できる、導線の縫製方法を提供することにある。
【０００７】
本発明の次の目的は、前記導線を重ね合わせた後の２つの布切れの縫代の上に置いてから、重ね合わせた後の２つの布切れの縫代に縫製を行うことにより、前記導線を縫製後の縫線内に位置させることができるので、前記導線は縫線に沿って隠蔽されて、着心地の快適性及び美観の向上が図られるため、全体の使用性を増進できる、導線の縫製方法を提供することにある。
【０００８】
本発明のもう一つの目的は、重ね合わせた後の２つの布切れの縫代を露出してから、重ね合わせた後の２つの布切れの縫代に導線で縫製を行うことにより、前記導線は縫線として縫代箇所に縫い付けられ、２つの布切れの縫代箇所を縫い合わせる以外に、前記導線で装置と連接することができるので、データ伝達を行うことが容易となり、前記導線は多機能性の運用を有するため、全体の運用性を増進できる、導線の縫製方法を提供することにある。
【課題を解決するための手段】
【０００９】
上記の目的を達成するために、本発明に係る導線の縫製方法のうちの前記第１種の方法に含まれるステップは、金属線を保護層内に設けて導線を形成する導線の作成ステップと、前記導線を重ね合わせた後の２つの布切れの縫代の上に置く布切れの配置ステップと、前記導線を縫製後の縫線内に位置させるように、重ね合わせた後の２つの布切れの縫代に縫製を行う縫製の実行ステップと、縫製後の縫線上に装置を結合する装置の結合ステップと、かつ前記装置を縫線内の前記導線と連通するように形成し、前記装置は前記導線を介して伝達を行う導線の連通ステップとを含む。
【００１０】
そして、前記第２種の方法に含まれるステップは、金属線を保護層内に設けて導線を形成する導線の作成ステップと、重ね合わせた後の２つの布切れの縫代を露出する布切れの配置ステップと、重ね合わせた後の２つの布切れの縫代に導線で縫製を行う縫製の実行ステップと、縫製後の導線上に装置を結合する装置の結合ステップと、かつ前記装置を縫製後の導線と連通するように形成し、前記装置は前記導線を介して伝達を行う導線の連通ステップとを含む。
【発明の効果】
【００１１】
本発明による導線の縫製方法は、一次加工及び導線隠蔽の効果を有するため、全体の実用性を増進できる、着心地の快適性及び美観の向上が図られるため、全体の使用性を増進できる、データ伝達を行うことが容易となり、導線は多機能性の運用を有するため、全体の運用性を増進できる。
【図面の簡単な説明】
【００１２】
【図１】本発明に係る第１種の方法の主要のステップ工程を示す図である。
【図２】本発明に係る第１種の方法の電極片を有するステップ工程を示す図である。
【図３】本発明に係る第１種の方法の導電材を有するステップ工程を示す図である。
【図４】本発明に係る第１種の方法の導線を示す断面図である。
【図５】本発明に係る第１種の方法における導線の布切れへの配置を示す図である。
【図６】本発明に係る第１種の方法における導線と布切れとの縫製の実行を示す図である。
【図７】本発明に係る第１種の方法における前記導線と電極片との結合を示す図である。
【図８】本発明に係る第１種の方法における前記導線と吸盤電極との結合を示す図である。
【図９】本発明に係る第１種の方法における電極片を衣服に縫製して使用することを示す図である。
【図１０】本発明に係る第２種の方法の主要のステップ工程を示す図である。
【図１１】本発明に係る第２種の方法の電極片を有するステップ工程を示す図である。
【図１２】本発明に係る第２種の方法の導電材を有するステップ工程を示す図である。
【図１３】本発明に係る第２種の方法の導線を示す断面図である。
【図１４】本発明に係る第２種の方法における導線と布切れとの縫製の実行を示す図である。
【図１５】本発明に係る第２種の方法における前記導線と電極片との結合を示す図である。
【図１６】本発明に係る第２種の方法における前記導線と吸盤電極との結合を示す図である。
【図１７】本発明に係る第２種の方法における電極片を衣服に縫製して使用することを示す図である。
【発明を実施するための形態】
【００１３】
以下に本発明の技術内容、構造特徴、達成する目的及び作用効果について、以下に例を挙げ並びに図面を組み合わせて詳細に説明する。
【００１４】
本発明を示す図である図１〜図１７を参照して、本発明者は、導線の縫製生産プロセスの研究改良を深く考慮した結果、本発明の導線の縫製方法の最適な実施方式は、様々な衣服、ジャケットなどの如何なる衣類上に運用され、かつ本発明は、現有の導線の加工方式と異なり、製造過程において一次加工及び導線隠蔽の効果を有し、さらに、上述した効果のほか、着心地の快適性及び美観の向上優勢も有する。なお、以下、本発明の第１種及び第２種の導線の縫製方法について説明する。
【００１５】
なお、第１種の導線の縫製方法（図１参照）は、まず行うステップは、金属線を保護層内に設けて導線を形成する導線の作成ステップＳ１００である。そして、前記導線１０は、主に金属線１１の外部を保護層１２で包囲することにより形成され（図４参照）、前記金属線１１の直接露出を回避することができ、そのうち、前記金属線１１は、銅線または金線若しくは他の金属から作成される線材であってもよい。外部にある前記保護層１２は、ポリ塩化ビニル（英語用語によれば、ＰｏｌｙＶｉｎｙｌ  Ｃｈｌｏｒｉｄｅ，ＰＶＣ）などの材質から作成される絶縁層であってもよく、または棉、絹、麻、動物毛或いは人造繊維から編成される原糸であってもよいと共に、金属線１１の外部を、原糸を巻回する方式で包覆する。そして、上述した導線の作成ステップＳ１００を完了した後、次のステップへ進む。
【００１６】
また、次に行うステップは、前記導線を重ね合わせた後の２つの布切れの縫代の上に置く布切れの配置ステップＳ１１０である。主に、上記の導線１０を、縫製を行おうとする２つの布切れ２０の重ね合わせた後の縫代２１上に載置して（図５参照）、前記縫代２１は、前記布切れ２０の縫製を行おうとする裁断端辺を意味する。そして、上述した布切れの配置ステップＳ１１０を完了した後、次のステップへ進む。
【００１７】
また、次に行うステップは、前記導線を縫製後の縫線内に位置させるように、重ね合わせた後の２つの布切れの縫代に縫製を行う縫製の実行ステップＳ１２０である。重ね合わせた後の２つの布切れ２０と、２つの布切れ２０の縫代２１箇所に位置する導線１０との縫製を行い（図６参照）、そのうち、前記縫製方式は、オーバーロック縫い、カバーステッチ縫い、フラットロック縫い、ロックステッチ縫いなどの方式であってもよく、或いは手縫製であってもよく、縫製を行うと同時に、前記導線１０を一緒にミシン縫いすることで、前記導線１０を縫製後の縫線３０内に位置させることができ、前記導線１０は、縫線３０により２つの布切れ２０の縫代２１箇所に固定される。そして、上述した縫製の実行ステップＳ１２０を完了した後、次のステップへ進む。
【００１８】
また、次に行うステップは、縫製後の縫線上に装置を結合する装置の結合ステップＳ１３０である。縫製後の２つの布切れ２０の縫代２１箇所に通り抜ける導線１０を含有するので、前記導線１０はデータ伝達の効果を有するため、データ伝送を必要とする装置４０と連接してもよく（図７または図８参照）、前記装置４０は、電極片４１、導電材４２或いは他のデータ検知またはデータ伝達の効果を有する如何なる物品であってもよい。そして、上述した装置の結合ステップＳ１３０を完了した後、次のステップへ進む。
【００１９】
なお、上述した装置の結合ステップＳ１３０における装置が電極片４１である場合、２種の結合ステップに分けることができる。そのうち、前記電極片４１は、身体表層の生理信号を検知できる効果を有し、かつ前記電極片４１は、複数の非導電繊維原糸及び複数の導電繊維原糸により製織されてなるか、または全体が複数の導電繊維原糸により製織されてなると共に、前記電極片４１を身体皮膚上に密着させることで、生理信号の検知を有利に実行でき、上述した生理信号は、体温、心拍、脈拍や呼吸などのうちのいずれか１種であってもよい。なお、行う前記第１種の結合ステップ（図２参照）は、前記電極片と縫線内に位置する前記導線とを超音波方式で圧着することにより、前記電極片を前記導線と溶接させる圧着溶接ステップＳ１３０１０である。つまり、前記電極片４１の一端を、内部に導線１０を含有する縫線３０上に置いてから、機器を介して超音波方式で高い瞬間熱エネルギーを生成すると同時に、電極片４１、縫線３０及び導線１０に対して圧着を行い（図７参照）、縫線３０内に位置する導線１０の保護層１２は、この高い瞬間熱エネルギーにより溶融されて内部の金属線１１を露出すると共に、露出した前記金属線１１と前記電極片４１が溶接状態になり、極性接触を発生させることができる。
【００２０】
また、行う前記第２種の結合ステップ（図２参照）は、金属線を露出するために、縫線内に位置する導線のうちの一段に加熱溶融を行う加熱溶融露出ステップＳ１３０２０である。既に縫線３０内に縫合した導線１０のうちに、外部にある保護層１２を除去して内部の金属線１１を露出することが必要な部位を一段選択して、瞬間高温を生成できる機器（例えば、ホットメルトガンなど）により選択された保護層１２を除去する必要がある部位に溶融を行う（未図示）。上述した加熱溶融露出ステップＳ１３０２０を完了した後、次のステップへ進む。そして、次に行うステップは、前記電極片を前記導線の金属線の露出位置に貼合または縫合して前記電極片を前記導線と連接させる接合連接ステップＳ１３０２１である。前記導線１０の保護層１２を除去した位置箇所に、前記電極片４１を貼合または縫合する方式で縫線３０上に結合することで（未図示）、前記電極片４１を、既に保護層１２を除去して金属線１１を露出した導線１０と電気的に接続させることができる。
【００２１】
なお、上述した装置の結合ステップＳ１３０における装置が導電材４２である場合、２種の結合ステップに分けることができる。そのうち、前記導電材４２は、金属不織布、導電性ゴム、導電性シリコーン、導電性薄膜などのうちのいずれか１種であってもよく、かつ内面に金属材質や導電材質を含有することにより、データ伝達または電力伝達などの効果を有する。なお、行う前記第１種の結合ステップ（図３参照）は、前記導電材と縫線内に位置する前記導線とを超音波方式で圧着することにより、前記導電材を前記導線と溶接させる圧着溶接ステップＳ１３０３０である。つまり、前記導電材４２の一端を、内部に導線１０を含有する縫線３０上に置いてから、機器を介して超音波方式で高い瞬間熱エネルギーを生成すると同時に、導電材４２、縫線３０及び導線１０に対して圧着を行い（図８参照）、縫線３０内に位置する導線１０の保護層１２は、この高い瞬間熱エネルギーにより溶融されて内部の金属線１１を露出すると共に、露出した前記金属線１１と前記導電材４２が溶接状態になり、極性接触を発生させることができる。そして、上述した前記導線１０と溶接された導電材４２の上に連接部４２１が設けられて、前記連接部４２１に吸盤電極５０が連接され（図８参照）、そのうち、前記連接部４２１と前記吸盤電極５０とには対応連接する雄雌スナップが設けられるか、または他の対応連接方式が設けられることで、前記吸盤電極５０は、連接部４２１を介して前記導電材４２及び前記導線１０と連接状態になり、前記吸盤電極５０は底部５１を有して、前記底部５１の辺縁から壁体５２が延設され、また前記壁体５２の上端箇所が、身体皮膚上に貼合するための貼合面５２１に形成されることで、生理信号の検知を有利に実行でき、上述した生理信号は、体温、心拍、脈拍や呼吸などのうちのいずれか１種であってもよい。
【００２２】
また、行う前記第２種の結合ステップ（図３参照）は、金属線を露出するために、縫線内に位置する導線のうちの一段に加熱溶融を行う加熱溶融露出ステップＳ１３０４０である。既に縫線３０内に縫合した導線１０のうちに、外部にある保護層１２を除去して内部の金属線１１を露出することが必要な部位を一段選択して、瞬間高温を生成できる機器（例えば、ホットメルトガンなど）により選択された保護層１２を除去する必要がある部位に溶融を行う（未図示）。上述した加熱溶融露出ステップＳ１３０４０を完了した後、次のステップへ進む。そして、次に行うステップは、前記導電材を前記導線の金属線の露出位置に貼合または縫合して前記導電材を前記導線と連接させる接合連接ステップＳ１３０４１である。前記導線１０の保護層１２を除去した位置箇所に、前記導電材４２を貼合または縫合する方式で縫線３０上に結合することで、前記導電材４２を、既に保護層１２を除去して金属線１１を露出した導線１０と電気的に接続させることができる（未図示）。そして、上述した前記導線１０と溶接された導電材４２の上に連接部４２１が設けられて、前記連接部４２１に吸盤電極５０が連接され、そのうち、前記連接部４２１と前記吸盤電極５０とには対応連接する雄雌スナップが設けられるか、または他の対応連接方式が設けられることで、前記吸盤電極５０は、連接部４２１を介して前記導電材４２及び前記導線１０と連接状態になり、前記吸盤電極５０は底部５１を有して、前記底部５１の辺縁から壁体５２が延設され、また前記壁体５２の上端箇所が、身体皮膚上に貼合するための貼合面５２１に形成されることで、生理信号の検知を有利に実行でき、上述した生理信号は、体温、心拍、脈拍や呼吸などのうちのいずれか１種であってもよい。
【００２３】
さらに、上述した装置の結合ステップＳ１３０を完了した後、かつ前記装置を縫線内の導線と連通するように形成し、前記装置は前記導線を介して伝達を行う導線の連通ステップＳ１４０である次のステップへ進む（図１、図２及び図３参照）。上述した方式の装置４０（電極片４１や導電材４２などのいずれにしてもよい）により、縫線３０内に位置する導線１０と電気的に接続させ、前記導線１０を介して前記装置４０に検知された信号及びデータを、電子設備上（例えば、スマートフォン、スマートタブレットパソコン、ノートパソコン、デスクトップパソコンや医療設備など）またはクラウド上（未図示）に伝達するようにし、その検知した結果を容易に知ることができ、予防医療を事前に実行することができる。
【００２４】
一方、第２種の導線の縫製方法（図１０参照）は、まず行うステップは、金属線を保護層内に設けて導線を形成する導線の作成ステップＳ２００である。そして、前記導線６０は、主に金属線６１の外部を保護層６２で包囲することにより形成され（図１３参照）、前記金属線６１の直接露出を回避することができ、そのうち、前記金属線６１は、銅線または金線若しくは他の金属から作成される線材であってもよい。外部にある前記保護層６２は、ポリ塩化ビニル（英語用語によれば、ＰｏｌｙＶｉｎｙｌ  Ｃｈｌｏｒｉｄｅ，ＰＶＣ）などの材質から作成される絶縁層であってもよく、または棉、絹、麻、動物毛或いは人造繊維から編成される原糸であってもよく、金属線６１の外部を、原糸を巻回する方式で包覆する。そして、上述した導線の作成ステップＳ２００を完了した後、次のステップへ進む。
【００２５】
また、次に行うステップは、重ね合わせた後の２つの布切れの縫代を露出する布切れの配置ステップＳ２１０である。主に、縫製を行おうとする２つの布切れ７０を重ね合わせると共に、縫合を行おうとする縫代７１を露出するので、縫製の実行が容易となり、前記縫代７１は、前記布切れ７０の縫製を行おうとする裁断端辺を意味する。そして、上述した布切れの配置ステップＳ２１０を完了した後、次のステップへ進む。
【００２６】
また、次に行うステップは、重ね合わせた後の２つの布切れの縫代に導線で縫製を行う縫製の実行ステップＳ２２０である。つまり、上述した布切れの配置ステップＳ２１０で完了する重ね合わせた後の２つの布切れ７０の縫代７１に、前記導線６０で直接に縫製を行い（図１４参照）、この種の方式と第１種の導線の縫製方法との最大相違点は、本ステップにおける導線６０は、直接に縫線として使用されることにあり、手工方式で導線６０を直接糸として針に通してから、縫針で縫製を行うことができるか（未図示）、または前記導線６０をまずミシン上に糸掛けすると共に、他の縫線（原糸）８０と一緒に縫製される。前記縫製方式は、オーバーロック縫い、カバーステッチ縫い、フラットロック縫い、ロックステッチ縫いなどの方式であってもよく、前記導線６０は、２つの布切れ７０の縫代７１箇所に直接固定される。そして、上述した縫製の実行ステップＳ２２０を完了した後、次のステップへ進む。
【００２７】
また、次に行うステップは、縫製後の導線上に装置を結合する装置の結合ステップＳ２３０である。縫製後の２つの布切れ７０の縫代７１箇所に通り抜ける導線６０を含有するので、前記導線６０はデータ伝達の効果を有するため、データ伝送を必要とする装置９０と連接してもよく（図１５または図１６参照）、前記装置９０は、電極片９１、導電材９２或いは他のデータ検知またはデータ伝達の効果を有する如何なる物品であってもよい。そして、上述した装置の結合ステップＳ２３０を完了した後、次のステップへ進む。
【００２８】
なお、上述した装置の結合ステップＳ２３０における装置が電極片９１である場合、２種の結合ステップに分けることができる。そのうち、前記電極片９１は、身体表層の生理信号を検知できる効果を有し、かつ前記電極片９１は、複数の非導電繊維原糸及び複数の導電繊維原糸により製織されてなるか、または全体が複数の導電繊維原糸により製織されてなると共に、前記電極片９１を身体皮膚上に密着させることで、生理信号の検知を有利に実行でき、上述した生理信号は、体温、心拍、脈拍や呼吸などのうちのいずれか１種であってもよい。なお、行う前記第１種の結合ステップ（図１１参照）は、前記電極片と縫製後の導線とを超音波方式で圧着することにより、前記電極片を前記導線と溶接させる圧着溶接ステップＳ２３０１０である。つまり、前記電極片９１の一端を縫製後の導線６０上に置いてから（図１５参照）、機器を介して超音波方式で高い瞬間熱エネルギーを生成すると同時に、電極片９１及び導線６０に対して圧着を行い、縫代７１箇所に位置する導線６０の保護層６２は、この高い瞬間熱エネルギーにより溶融されて内部の金属線６１を露出すると共に、露出した前記金属線６１と前記電極片９１が溶接状態になり、極性接触を発生させることができる。
【００２９】
また、行う前記第２種の結合ステップ（図１１参照）は、金属線を露出するために、縫製後の導線のうちの一段に加熱溶融を行う加熱溶融露出ステップＳ２３０２０である。既に縫製後の導線６０のうちに、外部にある保護層６２を除去して内部の金属線６１を露出することが必要な部位を一段選択して（未図示）、瞬間高温を生成できる機器（例えば、ホットメルトガンなど）により選択された保護層６２を除去する必要がある部位に溶融を行う。上述した加熱溶融露出ステップＳ２３０２０を完了した後、次のステップへ進む。そして、次に行うステップは、前記電極片を前記導線の金属線の露出位置に貼合または縫合して前記電極片を前記導線と連接させる接合連接ステップＳ２３０２１である。前記導線６０の保護層６２を除去した位置箇所に、前記電極片９１を貼合または縫合する方式で導線６０上に結合することで（未図示）、前記電極片９１を、既に保護層６２を除去して金属線６１を露出した導線６０と電気的に接続させることができる。
【００３０】
また、上述した装置の結合ステップＳ２３０における装置が導電材９２である場合、２種の結合ステップに分けることができる。そのうち、前記導電材９２は、金属不織布、導電性ゴム、導電性シリコーン、導電性薄膜などのうちのいずれか１種であってもよく、かつ内面に金属材質や導電材質を含有することにより、データ伝達または電力伝達などの効果を有する。なお、行う前記第１種の結合ステップ（図１２参照）は、前記導電材と縫製後の前記導線とを超音波方式で圧着することにより、前記導電材を前記導線と溶接させる圧着溶接ステップＳ２３０３０である。つまり、前記導電材９２の一端を縫製後の導線６０上に置いてから（図１６参照）、機器を介して超音波方式で高い瞬間熱エネルギーを生成すると同時に、導電材９２及び導線６０に対して圧着を行い、縫代７１箇所に位置する導線６０の保護層６２は、この高い瞬間熱エネルギーにより溶融されて内部の金属線６１を露出すると共に、露出した前記金属線６１と前記導電材９２が溶接状態になり、極性接触を発生させることができる。そして、上述した前記導線６０と溶接された導電材９２の上に連接部９２１が設けられて、前記連接部９２１に吸盤電極１００が連接され（図１６参照）、そのうち、前記連接部９２１と前記吸盤電極１００とには対応連接する雄雌スナップが設けられるか、または他の対応連接方式が設けられることで、前記吸盤電極１００は、連接部９２１を介して前記導電材９２及び前記導線６０と連接状態になり、前記吸盤電極１００は底部１０１を有して、前記底部１０１の辺縁から壁体１０２が延設され、また前記壁体１０２の上端箇所が、身体皮膚上に貼合するための貼合面１０２１に形成されることで、生理信号の検知を有利に実行でき、上述した生理信号は、体温、心拍、脈拍や呼吸などのうちのいずれか１種であってもよい。
【００３１】
また、行う前記第２種の結合ステップ（図１２参照）は、金属線を露出するために、縫製後の導線のうちの一段に加熱溶融を行う加熱溶融露出ステップＳ２３０４０である。既に縫製後の導線６０のうちに、外部にある保護層６２を除去して内部の金属線６１を露出することが必要な部位を一段選択して（未図示）、瞬間高温を生成できる機器（例えば、ホットメルトガンなど）により選択された保護層６２を除去する必要がある部位に溶融を行う。上述した加熱溶融露出ステップＳ２３０４０を完了した後、次のステップへ進む。そして、次に行うステップは、前記導電材を前記導線の金属線の露出位置に貼合または縫合して前記導電材を前記導線と連接させる接合連接ステップＳ２３０４１である。前記導線６０の保護層６２を除去した位置箇所に、前記導電材９２を貼合または縫合する方式で前記導線６０上に結合することで（未図示）、前記導電材９２を、既に保護層６２を除去して金属線６１を露出した導線６０と電気的に接続させることができる。そして、上述した前記導線６０と溶接された導電材９２の上に連接部９２１が設けられて、前記連接部９２１に吸盤電極１００が連接され、そのうち、前記連接部９２１と前記吸盤電極１００とには対応連接する雄雌スナップが設けられるか、または他の対応連接方式が設けられることで、前記吸盤電極１００は、連接部９２１を介して前記導電材９２及び前記導線６０と連接状態になり、前記吸盤電極１００は底部１０１を有して、前記底部１０１の辺縁から壁体１０２が延設され、また前記壁体１０２の上端箇所が、身体皮膚上に貼合するための貼合面１０２１に形成されることで、生理信号の検知を有利に実行でき、上述した生理信号は、体温、心拍、脈拍や呼吸などのうちのいずれか１種であってもよい。
【００３２】
さらに、上述した装置の結合ステップＳ２３０を完了した後、かつ前記装置を縫製後の導線と連通するように形成し、前記装置は前記導線を介して伝達を行う導線の連通ステップＳ２４０である次のステップへ進む（図１０、図１１及び図１２参照）。上述した方式の装置９０（電極片９１や導電材９２などのいずれにしてもよい）により、縫代７１箇所に位置する導線６０と電気的に接続させ、前記導線６０を介して前記装置９０に検知された信号及びデータを、電子設備上（例えば、スマートフォン、スマートタブレットパソコン、ノートパソコン、デスクトップパソコンや医療設備など）またはクラウド上（未図示）に伝達するようにし、その検知した結果を容易に知ることができ、予防医療を事前に実行することができる。
【００３３】
上述の実施例は僅かに本発明の原理及びその作用効果を説明するものであり、本発明を制限するものではない。これにより、この発明の属する技術の分野における通常の知識を有する者が上述の実施例に対してなし得る修正或いは変化は、すなわち、本発明の精神より逸脱しない。本発明はすでに産業上の利用性、新規性及び進歩性を有し、並びに特許の要件を満たす。
【符号の説明】
【００３４】
Ｓ１００          導線の作成
Ｓ１１０          布切れの配置
Ｓ１２０          縫製の実行
Ｓ１３０          装置の結合
Ｓ１３０１０        圧着溶接
Ｓ１３０２０        加熱溶融露出
Ｓ１３０２１        接合連接
Ｓ１３０３０        圧着溶接
Ｓ１３０４０        加熱溶融露出
Ｓ１３０４１        接合連接
Ｓ１４０          導線の連通
１０            導線
１１            金属線
１２            保護層
２０            布切れ
２１            縫代
３０            縫線
４０            装置
４１            電極片
４２            導電材
４２１            連接部
５０            吸盤電極
５１            底部
５２            壁体
５２１            貼合面
Ｓ２００          導線の作成
Ｓ２１０          布切れの配置
Ｓ２２０          縫製の実行
Ｓ２３０          装置の結合
Ｓ２３０１０        圧着溶接
Ｓ２３０２０        加熱溶融露出
Ｓ２３０２１        接合連接
Ｓ２３０３０        圧着溶接
Ｓ２３０４０        加熱溶融露出
Ｓ２３０４１        接合連接
Ｓ２４０          導線の連通
６０            導線
６１            金属線
６２            保護層
７０            布切れ
７１            縫代
８０            縫線
９０            装置
９１            電極片
９２            導電材
９２１            連接部
１００            吸盤電極
１０１            底部
１０２            壁体
１０２１          貼合面
【図１】
2017214689.tif 000003
【図２】
2017214689.tif 000004
【図３】
2017214689.tif 000005
【図４】
2017214689.tif 000006
【図５】
2017214689.tif 000007
【図６】
2017214689.tif 000008
【図７】
2017214689.tif 000009
【図８】
2017214689.tif 000010
【図９】
2017214689.tif 000011
【図１０】
2017214689.tif 000012
【図１１】
2017214689.tif 000013
【図１２】
2017214689.tif 000014
【図１３】
2017214689.tif 000015
【図１４】
2017214689.tif 000016
【図１５】
2017214689.tif 000017
【図１６】
2017214689.tif 000018
【図１７】
2017214689.tif 000019